(57)【特許請求の範囲】
【請求項１】
光電変換可能な太陽電池素子と、
該太陽電池素子の受光面側に配置された表面基板と、
前記太陽電池素子の受光面とは反対の面側に配置されており、前記太陽電池素子と一体化した裏面基板とを有する太陽電池パネルであって、
前記裏面基板の主面および前記表面基板の主面は、前記太陽電池素子とは反対側に面しており、
前記裏面基板の主面は、前記表面基板の主面よりも算術平均表面粗さの値が大きく、前記裏面基板の主面の算術平均表面粗さの値は、面内方向に分布があり、前記裏面基板の主面の中央付近の算術平均表面粗さが縁部付近の算術平均表面粗さよりも大きい太陽電池パネル。
【請求項２】
前記表面基板の主面の算術平均表面粗さＲａの値は０．０２μｍ以下であり、前記裏面基板の主面の算術平均表面粗さは０．０５μｍ以上である請求項１に記載の太陽電池パネル。
【発明の詳細な説明】
【技術分野】
【０００１】
本発明は、太陽電池パネルに関するものである。
【背景技術】
【０００２】
近年、太陽電池パネルを住宅等の建造物に設置して、太陽光を電力として利用することが盛んに行われている。
【０００３】
太陽電池パネルは、架台などの固定部材を用いて、複数の太陽電池モジュール（太陽電池パネルという場合がある）を電気的に接続するとともに、構造的に一体化したものである。
【０００４】
太陽電池モジュールは、複数の太陽電池素子を電気的に接続したものである。太陽電池素子としては、シリコン単結晶、シリコン多結晶、アモルファスシリコン、ＣｄＳ、ＣＩＳなどを用いた太陽電池素子、色素増感型太陽電池素子などが挙げられる。
【０００５】
太陽電池パネルに用いられる架台としては、一般に、屋根の傾斜に沿って設けられる縦ラック、あるいは屋根の傾斜方向に対して垂直に設けられる横ラックが挙げられる。
【０００６】
現在においては、設置の制限が少ない点、および配置された太陽電池パネルの傾斜と垂直方向の水平性が保たれることによって色合いが統一される点から、横ラックが好適に用いられている。
【０００７】
しかしながら、横ラックは、太陽電池パネルの裏面側の空気（内気）の流路を横断して配置されるため、空気の流路が小さくなって、太陽電池パネルの裏面側における通気量が減少する。
【０００８】
その結果、太陽電池素子の温度が上昇し、最大出力Ｐｍａｘが減少して発電効率の低下を招くという問題がある。
【０００９】
このような問題を解決するために、横ラックの側部に、軒棟方向に貫通する貫通孔を設けることで、太陽電池パネルの裏面側の空気の流路を大きくして、通気量を増大させ、太陽電池パネルを冷却する方法が知られている（例えば、特許文献１および２参照）。
【先行技術文献】
【特許文献】
【００１０】
【特許文献１】特開２０００−１０１１２０号公報
【特許文献２】特開２０００−８７５１４号公報
【発明の概要】
【発明が解決しようとする課題】
【００１１】
しかしながら、上述のように横ラックの軒棟方向に貫通孔を設けた構造では、横ラック部分を通過する際の空気抵抗が大きいために太陽電池パネルの裏面側を流れる空気の流量が小さく、十分な冷却効果が得られないという問題がある。
【００１２】
また、上述の構造の場合、外気を太陽電池パネルの裏面側に導入するための取入れ口は、太陽電池パネルの軒側端部と棟側端部とに設けられるのみである。
【００１３】
そのため、軒側端部から低温の外気が導入されたとしても、棟側に向けて流れるに従って空気の温度は上昇してしまう。
【００１４】
結果として、同一系統に属する軒側の太陽電池パネルと棟側の太陽電池パネルとの間で、両者の温度差に起因した発電効率の不均一が生じ、冷却を行っているにも関わらず、系統全体として十分な発電量が得られないという問題がある。
【課題を解決するための手段】
【００１５】
本発明の太陽電池パネルは、光電変換可能な太陽電池素子と、太陽電池素子の受光面側に配置された表面基板と、太陽電池素子の受光面とは反対の面側に配置されており、太陽電池素子と一体化した裏面基板とを有する太陽電池パネルであって、裏面基板の主面および表面基板の主面は、太陽電池素子とは反対側に面しており、裏面基板の主面は、表面基板の主面よりも算術平均表面粗さの値が大きく、裏面基板の主面の算術平均表面粗さの値は、面内方向に分布があり、裏面基板の主面の中央付近の算術平均表面粗さが縁部付近の算術平均表面粗さよりも大きいことを特徴とする。
【発明の効果】
【００１６】
本発明の太陽電池パネルによれば、裏面基板の主面の比表面積が大きいことによって、裏面基板の主面での外気との熱交換を促進するとともに、太陽電池パネル内の熱を裏面基板側へ効率的に移動できるので、温度上昇による光電変換効率の低下を低減できる。
【図面の簡単な説明】
【００１７】
【図１】本発明の太陽電池パネルの一実施形態を示す断面模式図である。
【図２】従来の太陽電池パネルの一実施形態を示す断面模式図である。
【図３】本発明の太陽電池パネルの一実施形態を示す断面模式図である。
【図４】従来の太陽電池パネルの一実施形態を示す断面模式図である。
【図５】本発明の太陽電池パネルの表面基板と裏面基板における算術平均表面粗さのグラフである。
【図６】従来の太陽電池パネルの表面基板と裏面基板における算術平均表面粗さのグラフである。
【発明を実施するための形態】
【００１８】
本実施形態の太陽電池パネルによれば、光電変換可能な太陽電池素子と、太陽電池素子の受光面側に配置された表面基板と、太陽電池素子の受光面とは反対の面側に配置された裏面基板とを有する太陽電池パネルであって、裏面基板の主面および表面基板の主面は、太陽電池素子とは反対側に面しており、裏面基板の主面は、表面基板の主面よりも算術平均表面粗さの値が大きい。
【００１９】
図１において裏面基板３の上に、光電変換可能な太陽電池素子１を形成し、さらに太陽電池素子１の上（受光面）側に表面基板２を被せてそれぞれを一体化した、太陽電池パネル１０を示す。
【００２０】
裏面基板３の主面３ａと表面基板２の主面２ａは、太陽電池素子１とは反対側に面しており、表面基板２の主面２ａ、裏面基板３の主面３ａは外気に対し直接露出している。
【００２１】
そして、裏面基板３の主面３ａは、表面基板２の主面２ａよりも、凹凸構造を大きく、すなわち、算術平均表面粗さの値Ｒａをより大きくすることによって、裏面基板３の主面３ａの比表面積を大きくしている。
【００２２】
これにより、裏面基板３の主面３ａにおける外気との熱交換を促進することができるので、太陽電池パネル１０内の熱を裏面基板３側へ効率的に移動させることができる。
【００２３】
よって、太陽電池パネル１０の温度上昇により、太陽電池素子１の光電変換効率が低下することを低減できる。
【００２４】
一方、図２において裏面基板３の主面３ａは、表面基板２の主面２ａと同程度の算術平均表面粗さであり、裏面基板３の主面３ａと表面基板２の主面２ａとは、外気との熱交換能力に差がない状態を示すものである。
【００２５】
よって、太陽電池パネル１０内の熱は、表面基板２と裏面基板３との間で滞留してしまうため、効率的に熱を移動できないので、大気への放熱が損なわれる場合がある。
【００２６】
また本実施形態の太陽電池パネルでは、裏面基板３の主面３ａの凹凸構造における凸部を起点として結露を生じさせて、さらにこの結露した水分を凹凸構造における凹部に留めさせておくことができる。
【００２７】
これにより、この水分による気化熱を随時利用することで、安定して太陽電池パネル１０を冷却することができ、高い光電変換効率を維持することができる。
【００２８】
特に、裏面基板３の主面３ａに沿って定期的に給水するシステムを設ければ、さらに効果的に冷却することができる。
【００２９】
例えば、屋根の斜面に太陽電池パネル１０を設置する場合であれば、太陽電池パネル１０の斜面上側から斜面下側に向かって、裏面基板３の主面３ａに沿って水を流す手段を用いることができる。
【００３０】
あるいは、地面に対して水平に太陽電池パネル１０を設置する場合であれば、裏面基板３の主面３ａ全体に霧吹きなどで水を噴霧する手段を用いればよい。
【００３１】
ここで表面基板２の主面２ａの算術平均表面粗さＲａが粗い場合、受光面に入射した光の閉じ込め効果によって、熱が太陽電池パネル１０内部に閉じ込められ易くなってしまうため、太陽電池パネル１０内部の温度が上昇して光電変換効率が低下する場合がある。
【００３２】
そのため、太陽電池パネル１０内に熱を閉じ込めないようするために、表面基板２の主面２ａは、適切な算術平均表面粗さＲａ以下であることが好ましい。
【００３３】
ここで、表面基板２の主面２ａおよび裏面基板３の主面３ａの算術平均表面粗さＲａとは、外気と接している基板の最表面における測定値のことである。
【００３４】
また、太陽電池素子１と裏面基板３とが一体化した状態の太陽電池パネル１０であって、太陽電池パネル１０に別途配置された構造物の凹凸の算術平均表面粗さＲａとは異なるものである。
【００３５】
すなわち、太陽電池パネル１０とは別体の放熱フィン等の構造物を設けた場合、全体の構造が複雑になるとともに、放熱フィン等の構造物と太陽電池パネル１０との接触が悪くなり易くなり、外気への放熱が低下する場合がある。
【００３６】
さらに本実施形態の太陽電池パネルによれば、裏面基板の主面の算術平均表面粗さの値は、面内方向に分布がある。
【００３７】
図５、図６のグラフにおいて、縦軸は表面基板２の主面２ａおよび裏面基板３の主面３ａの算術平均表面粗さＲａであり、横軸は表面基板２の主面２ａおよび裏面基板３の主面
３ａの対角線方向の位置である。
【００３８】
ここで算術平均表面粗さＲａの値に面内方向（裏面基板３に水平な方向）に分布があるとは、図５のように裏面基板３の主面３ａ上の算術平均表面粗さＲａが局所的に異なっていることである。
【００３９】
算術平均表面粗さＲａは、片持ち梁法の触針を用いた表面粗さ計、あるいは原子間力による非接触式の表面粗さ計で測定することができる。
【００４０】
ここで算術平均表面粗さＲａの面内方向の分布は、例えば太陽電池パネル１０の２つの対角線に沿って測定するようにすればよく、好ましくはガウシアン分布のように、太陽電池パネル１０の中央付近での算術平均表面粗さＲａが最大、太陽電池パネル１０の縁部付近での算術平均表面粗さＲａが最小になることが、反りを矯正する点で望ましい。
【００４１】
算術平均表面粗さＲａの面内分布は±％で表わされ、算術平均表面粗さＲａの最大値をＲａｍａｘ、算術平均表面粗さＲａの最小値をＲａｍｉｎとしたとき、１００×（Ｒａｍａｘ−Ｒａｍｉｎ）／（Ｒａｍａｘ＋Ｒａｍｉｎ）として算出することができる。
【００４２】
図５のように、受光面とは反対側である裏面基板３の主面３ａの表面性状を調整、例えば、裏面基板３の主面３ａの中央付近の算術平均表面粗さが大きくなるようにすることによって、裏面基板３の面内方向の応力を調整し、図３のように太陽電池パネル１０を平坦にすることができる。
【００４３】
このように、裏面基板３の主面３ａに凹凸形状を後加工などで形成すれば、裏面基板３の主面３ａに引っ張り応力が働くことによって、表面基板２と、太陽電池素子１と、裏面基板３との応力をバランスさせて、太陽電池パネル１０全体での反りを低減できる。
【００４４】
これによって、太陽電池パネル１０全体の反りを調整することができるので、太陽電池パネル１０が割れ易くなることを低減できる。
【００４５】
一方、裏面基板３の主面３ａの表面性状を調整しない場合は、例えば、図６のような算術平均表面粗さＲａの分布となり、図４のように太陽電池パネル１０が反る場合がある。
【００４６】
すなわち、図４においては、裏面基板３の主面３ａは、表面基板２の主面２ａと同程度の凹凸構造であり、裏面基板３の主面３ａと表面基板２の主面２ａにおける面内方向の応力に差がないため反りが発生している。
【００４７】
これは裏面基板３上に太陽電池素子１として光電変換膜を直接形成した場合、引っ張り応力が働いて裏面基板３側が凸となるように反るからである。
【００４８】
さらに本実施形態の太陽電池パネルによれば、表面基板の主面の算術平均表面粗さＲａの値は０．０２μｍ以下であり、裏面基板の主面の算術平均表面粗さＲａは０．０５μｍ以上、さらには、裏面基板の主面における強度を確保する点から１０μｍ以下とすることが好ましい。
【００４９】
これにより、表面基板３側における光閉じ込め効果を低減して、太陽電池パネル１０全体の昇温を低減できる。
【００５０】
また、裏面基板３側における外気との熱交換を促進させることができるので、表面基板２側から裏面基板３側への熱の移動を効率化できる。
【００５１】
以上のように本発明によれば、太陽電池パネル１０内部に熱を溜め込まれることを低減できる。
【００５２】
（太陽電池パネルの製造方法）
本実施形態の太陽電池パネルの製造方法によれば、裏面基板の主面の算術平均表面粗さが、表面基板の主面の算術平均表面粗さよりも大きくなるように、ドライエッチング処理またはスクライブ処理することが好ましい。
【００５３】
このような裏面基板３の表面処理を施すことによって、太陽電池パネル１０全体を平坦にして、太陽電池パネル１０が応力で反って割れることを低減できる。
【００５４】
また製造工程において、太陽電池パネル１０をローラーで搬送する場合においても、裏面基板３の主面３ａが粗いので、ローラーが滑って空回りすることなく、円滑に太陽電池パネル１０を搬送することができる。
【００５５】
さらに本実施形態の太陽電池パネルの製造方法によれば、ドライエッチング処理またはスクライブ処理としては、例えば、太陽電池パネル１０の反りの矯正と同時に、裏面基板３の主面３ａに付着した付着物（例えば半導体層を形成したときに付着した付着物等）を除去できるという点で、サンドブラスト処理を用いることが好ましい。
【００５６】
条件としては、例えばアルミナビーズ（平均粒径１００〜１０００μｍ）を用い、１〜２０ｋｇ／ｃｍ２の圧力で所望の算術平均表面粗さに処理する。
【００５７】
また例えば、規則的な凸凹構造（例えば溝部等）を容易に形成することができる点で、レーザー処理を用いることが好ましく、条件としては、トップハットビームで、スポット径を１０〜７０μｍ、レーザー周波数を２５〜１００ＫＨｚ、パルス幅を１５〜２００ｎｓ、パワー密度を１０４〜１０５Ｗ／ｃｍ２となるよう随時調整して処理する。
【００５８】
このように本実施形態のドライエッチング処理またはスクライブ処理では、裏面基板３の主面３ａ側のみを選択して処理でき、太陽電池素子１の光電変換効率を低下させずに、太陽電池パネル１０全体の反りを矯正できる。
【００５９】
なお、太陽電池パネル１０を薬液に浸漬して、太陽電池素子１が薬液によるダメージを受け、光電変換効率が低下するような恐れがなければ、裏面基板３をウエットエッチングで処理しても構わない。
【００６０】
以下、本実施形態の太陽電池パネル１０として、薄膜型太陽電池パネルの場合と、シリコン型太陽電池パネルの場合の各実施形態について説明する。
【００６１】
（薄膜型太陽電池パネルの場合）
薄膜型太陽電池パネルは、裏面基板３上に、太陽電池素子１として下部電極層と、光吸収層と、第１半導体層と、第２半導体層と、上部電極層と、グリッド電極とを形成し、さらに表面基板２を被せてなるものである。
【００６２】
＜裏面基板＞
裏面基板３は、太陽電池素子１を支持するためのものである。
【００６３】
裏面基板３に用いられる材料としては、ガラス、セラミックス、樹脂、および金属などが挙げられ、厚さ１〜３ｍｍ程度が用いられる。
【００６４】
裏面基板３の主面３ａは、表面基板２の主面２ａよりも算術平均表面粗さＲａが大きくなるようにブラスト処理またはスクライブ処理してある。
【００６５】
＜下部電極層＞
下部電極層は、裏面基板３の主面３ａ上に設けられた、Ｍｏ、Ａｌ、Ｔｉ、Ｔａ、またはＡｕなどの金属、あるいはこれらの金属の積層構造体からなる導体である。
【００６６】
下部電極層は、スパッタリング法または蒸着法などの公知の薄膜形成方法を用いて、０．２〜１μｍ程度の厚みに形成される。
【００６７】
＜光吸収層＞
光吸収層は、下部電極層の上に設けられた、カルコパイライト系（以下ＣＩＳ系とも言う）のＩ−III−VI族化合物を含む、ｐ型の導電型を有する半導体層である。
【００６８】
この光吸収層は、１〜３μｍ程度の厚みを有している。
【００６９】
このような光吸収層については、スパッタリング法、蒸着法などのいわゆる真空プロセスによって形成可能であるほか、光吸収層の構成元素を含む溶液を下部電極層の上に塗布し、その後、乾燥・熱処理を行う、いわゆる塗布法あるいは印刷法と称されるプロセスによって形成することもできる。
【００７０】
＜半導体層＞
半導体層は、光吸収層の上に設けられた、該光吸収層の導電型とは異なるｎ型の導電型を有する半導体層である。
【００７１】
また、本実施形態においては、半導体層はＣＢＤ法（ケミカルバス成膜法）によって、例えば、Ｉｎ２Ｓ３系、ＺｎＳ系、ＣｄＳ系等の組成で構成され、１〜３０ｎｍの厚みに形成されることが好ましいが、可能であれば薄膜法、メッキ法などの他の手段によって形成されても構わない。
【００７２】
さらに、スパッタ法、蒸着法などによって半導体層上に高抵抗な酸化亜鉛（ｉ−ＺｎＯ）などを構成するもの等もある。
【００７３】
＜表面基板＞
表面基板２は、太陽電池素子１をカバーするためのものである。
【００７４】
表面基板２に用いられる材料としては、ガラス、セラミックス、樹脂、および金属などが挙げられ、厚さ１〜３ｍｍ程度が用いられる。
【００７５】
表面基板２の主面２ａは、裏面基板３の主面３ａよりも算術平均表面粗さＲａが小さくなるようにしてある。
【００７６】
（シリコン型太陽電池パネルの場合）
シリコン型太陽電池パネルは、表面基板２と、受光面側充填材と、太陽電池素子１と、非受光面側充填材と、裏面基板３とを順次積層してなる。
【００７７】
なお、以下においては、受光面側充填材と裏面側充填材とを、充填材と総称する。
【００７８】
＜表面基板＞
表面基板２は、太陽電池素子１へ光を入射させることができる部材で、その材質は特に限定されない。
【００７９】
例えば、白板ガラス、強化ガラス、倍強化ガラス、熱線反射ガラスなどのガラスやポリカーボネート樹脂などからなる光透過率の高い基板が表面基板２として用いられる。
【００８０】
例えば、厚さ３ｍｍ〜５ｍｍ程度の白板強化ガラス、厚さ５ｍｍ程度の合成樹脂基板（ポリカーボネート樹脂などからなる）が表面基板２として用いられることが好ましい。
【００８１】
表面基板２の主面２ａは、裏面基板３の主面３ａよりも算術平均表面粗さが小さくなるように管理してある。
【００８２】
＜太陽電池素子＞
太陽電池素子１は、太陽光を受光する第１の面と、その裏側に位置する第２の面とを有する半導体基板から成る。
【００８３】
一導電型を示す半導体基板としてＰ型のシリコン基板を使用する場合、このような逆導電型層はＮ型となり、例えばリンなどのＮ型不純物を半導体基板の表面に拡散して形成される。
【００８４】
半導体基板の第１面上に形成された受光面電極は、複数本の直線状細線の電極がほぼ等間隔に設けられている。
【００８５】
電極材料として、特にアルミニウムが用いられた場合、これを塗布、焼成して集電電極を形成する。
【００８６】
＜充填材＞
充填材は、太陽電池素子１を封止する役割を有する。例えばエチレン酢酸ビニル共重合体（ＥＶＡ）やポリビニルブチラール（ＰＶＢ）を主成分とする有機化合物が、充填材として用いられる。
【００８７】
充填材にＥＶＡを用いる場合で、ＥＶＡ１００質量部に対し１質量部程度の割合で架橋剤を含有させることが好ましい。
【００８８】
上述のＥＶＡやＰＶＢ以外にも、熱硬化性樹脂もしくは、熱可塑性樹脂に架橋剤を含有して熱硬化の特性を持たせた樹脂で、充填材として好適に利用可能である。例えばアクリル樹脂、シリコーン樹脂、エポキシ樹脂やＥＥＡ（エチレン−アクリル酸エチル共重合体）などが、充填材として利用可能である。
【００８９】
＜裏面基板＞
裏面基板３の主面３ａは、ブラスト処理あるいはスクライブ処理で、表面基板２の主面２ａよりも算術平均表面粗さＲａが大きくなるようにしてある。
【実施例】
【００９０】
以下、太陽電池素子１として上記した薄膜系太陽電池を用いた太陽電池パネル１０の場合について、光電変換効率と反りを評価した。
【００９１】
（試料作製）
薄膜型太陽電池パネルとしては、後述する表面基板２の主面２ａに対する算術平均表面粗さＲａを調整してブラスト処理したガラス（厚さ１ｍｍ）の裏面基板３を用いた。
【００９２】
さらに下部電極層として裏面基板３上にＭｏからなる導体をスパッタリング法を用いて０．２μｍ、光吸収層として下部電極層の上にＣＩＧＳ系化合物を含む半導体層を１μｍ、半導体層として光吸収層の上にＩｎ２Ｓ３半導体層を１ｎｍを形成して、裏面基板３の主面３ａに対して算術平均表面粗さＲａを調整したガラス（厚さ１ｍｍ）の表面基板２を配置した。
【００９３】
（試料評価）
光電変換効率は、太陽電池パネル１０を屋外の地表に対して水平に配置して、１時間発電させたときの平均の光電変換効率を評価した。
【００９４】
以下、結果を表１に示す。
【００９５】
【表１】
0005869318.tif 000002
【００９６】
試料１，２，３について比較すると、表面基板２の主面２ａの算術平均表面粗さＲａが０．０２μｍ以下であると、光電変換効率が顕著に増加することがわかる。
【００９７】
試料２，４，５，６，７について比較すると、裏面基板３の主面３ａの算術平均表面粗さＲａが０．０５μｍ以上であると、光電変換効率が顕著に増加することがわかる。
【００９８】
比較例である試料９，１０，１１の結果から、表面基板２の主面２ａの算術平均表面粗さＲａが、裏面基板３の主面３ａの算術平均表面粗さＲａよりも大きいため、裏面基板３の主面３ａで放熱しないことがわかる。
【００９９】
よって、裏面基板３の主面３ａに向かってヒートシンクせず、光電変換効率が顕著に低下することがわかる。
【０１００】
さらに実施例については反りの値を評価し、太陽電池パネル１０を平面に置いたときの最大高さを反りの値とした。
【０１０１】
以下、結果を表２に示す。
【０１０２】
【表２】
0005869318.tif 000003
【０１０３】
試料１〜７については図５のように、裏面基板３の主面３ａにおいてガウシアン状分布を示し、その面内分布の大きさは±２％以上となっていれば、反りが小さくなる効果が確認された。これは裏面基板３の主面３ａでの応力が矯正されたことによる効果である。
【０１０４】
一方、試料８については、裏面基板３の主面３ａでの算術平均表面粗さＲａが、ガウシアン状分布になっていなかったため、反りが比較的大きくなる結果となった。
【符号の説明】
【０１０５】
１：太陽電池素子
２：表面基板
２ａ：主面
３：裏面基板
３ａ：主面
１０：太陽電池パネル
【図１】
0005869318.tif 000004
【図２】
0005869318.tif 000005
【図３】
0005869318.tif 000006
【図４】
0005869318.tif 000007
【図５】
0005869318.tif 000008
【図６】
0005869318.tif 000009